(57)【要約】【課題】手動ネットワーク選択モードによりＰＬＭＮを選択する場合においても、セルサーチに要する時間及び電力の浪費を軽減しつつ、ＲＡＮを共有しないＰＬＭＮも選択すること。【解決手段】ＲＡＮを共有する複数のＰＬＭＮに関する情報を含む報知情報を受信し、この報知情報に含まれる複数のＰＬＭＮ以外の他のＰＬＭＮに関する情報を検索し、ＵＩ部１０７から所望のＰＬＭＮの選択を受け付ける移動局装置ＵＥにおいて、他のＰＬＭＮに関する情報の検索終了前にＵＩ部１０７から所望のＰＬＭＮの選択を受け付けると、他のＰＬＭＮに関する情報の検索を中断することを特徴とする。【選択図】図２
2011130173.tif 000002
【特許請求の範囲】
【請求項１】
無線アクセスネットワークを共有する複数の公衆陸上移動ネットワーク（ＰＬＭＮ）に関する情報を含む報知情報を受信する受信手段と、前記報知情報に含まれる複数のＰＬＭＮ以外の他のＰＬＭＮに関する情報を検索する検索手段と、前記報知情報に含まれる複数のＰＬＭＮに関する情報及び前記他のＰＬＭＮに関する情報から所望のＰＬＭＮの選択を受け付けるユーザインタフェース手段と、を具備し、
前記検索手段は、前記他のＰＬＭＮに関する情報の検索終了前に前記ユーザインタフェース手段から所望のＰＬＭＮの選択を受け付けると前記他のＰＬＭＮに関する情報の検索を省略又は中断することを特徴とする移動局装置。
【請求項２】
前記ユーザインタフェース手段は、前記報知情報に含まれる複数のＰＬＭＮに関する情報を待機中の表示画面上に表示することを特徴とする請求項１記載の移動局装置。
【請求項３】
前記ユーザインタフェース手段は、前記検索手段による前記他のＰＬＭＮに関する情報の検索中に、前記報知情報に含まれる複数のＰＬＭＮに関する情報を表示画面上に表示し、前記他のＰＬＭＮの情報が検索されると当該他のＰＬＭＮに関する情報を前記報知情報に含まれる複数のＰＬＭＮに関する情報に追加して表示することを特徴とする請求項１記載の移動局装置。
【請求項４】
前記報知情報に含まれる複数のＰＬＭＮに関する情報の優先度を記憶する記憶手段を具備し、前記記憶手段に記憶された優先度に応じて前記報知情報に含まれる複数のＰＬＭＮに関する情報の表示順序を変更することを特徴とする請求項１記載の移動局装置。
【請求項５】
無線アクセスネットワークを共有する複数の公衆陸上移動ネットワーク（ＰＬＭＮ）に関する情報を含む報知情報を受信するステップと、前記報知情報に含まれる複数のＰＬＭＮ以外の他のＰＬＭＮに関する情報を検索するステップと、前記報知情報に含まれる複数のＰＬＭＮに関する情報及び前記他のＰＬＭＮに関する情報からから所望のＰＬＭＮの選択を受け付けるステップとを具備し、
前記他のＰＬＭＮに関する情報の検索終了前に所望のＰＬＭＮの選択を受け付けると前記他のＰＬＭＮに関する情報の検索を省略又は中断することを特徴とするＰＬＭＮ選択方法。
【発明の詳細な説明】
【技術分野】
【０００１】
本発明は、移動局装置及びＰＬＭＮ選択方法に関し、特に、複数の利用可能な公衆陸上移動ネットワーク（ＰＬＭＮ：Public  Land  Mobile  Network）から１つのＰＬＭＮを選択する移動局装置及びＰＬＭＮ選択方法に関する。
【背景技術】
【０００２】
携帯電話などの標準規格である３ＧＰＰ（3rd  Generation  Partnership  Project）の仕様書３ＧＰＰ  ＴＳ  ２３．２５１などにおいては、ネットワークシェアリング（ＮＷシェアリング）という方式が規定されている。ＮＷシェアリングにおいては、複数のオペレータにより特定のネットワークオペレータ（オペレータ）の無線アクセスネットワーク（ＲＡＮ：Radio  Access  Network）を共有することにより、移動通信サービスの提供を新規に始める事業者のインフラ設置のコストが大幅に低減される。ＮＷシェアリングが適用されているネットワーク（シェアリングＮＷ）のセルに移動局装置（ＵＥ：User  Equipment）が在圏すると、ＲＡＮを共有する全てのオペレータが運用する公衆陸上移動ネットワーク（ＰＬＭＮ）を示すリストが報知情報としてＵＥに送信される。なお、このリストには、ＰＬＭＮを運用するオペレータの識別情報を含めることも可能である。ＵＥにおいて、後述する自動ネットワーク選択モード又は手動ネットワーク選択モードによりＰＬＭＮが選択されると、ＲＡＮを介して選択されたＰＬＭＮのコアネットワーク（ＣＮ：Core  Network）に位置登録要求が送出される。ＣＮで位置登録要求が許容されると、ＵＥにおいて当該ＰＬＭＮを運用するオペレータから通信サービスの提供を受けることが可能となる。
【０００３】
ＵＥがＰＬＭＮを選択する方式として、自動ネットワーク選択モード又は手動ネットワーク選択モードが規定されている（3GPP  TS  23.122）。自動ネットワーク選択モードにおいては、契約するオペレータやユーザの定めた優先度に従ってＵＥにより自発的に利用するＰＬＭＮが選択される。一方、手動ネットワーク選択モードにおいては、ＵＥのユーザによるユーザインタフェース（ＵＩ:User  Interface）の手動操作によって利用するＰＬＭＮが選択される。この手動ネットワーク選択モードにおいては、ＵＥにより利用可能なＰＬＭＮの検索が行われ（セルサーチ）、該当するＰＬＭＮがディスプレイ上にリスト表示される。そして、このリスト表示されたＰＬＭＮから、所望のＰＬＭＮがユーザにより選択される。
【０００４】
従来、ＮＷシェアリングが適用されるネットワークにおいて、ＲＡＮからの報知情報に含まれる、ＲＡＮを共有する複数のＰＬＭＮのリスト（ＰＬＭＮリスト）からＵＥで１つのＰＬＭＮを選択し、選択したＰＬＭＮ（オペレータ）に位置登録を行う移動体ネットワークシステムが提案されている（例えば、特許文献１参照）。この移動体ネットワークシステムにおいては、ＲＡＮからの報知情報に含まれるＰＬＭＮリストからＵＥで１つのＰＬＭＮが選択されることから、改めてＵＥが利用可能なＰＬＭＮの検索を行うことなく、ユーザの所望のＰＬＭＮ（オペレータ）を選択することが可能となっている。
【先行技術文献】
【特許文献】
【０００５】
【特許文献１】特表２００７−５３１３５９号公報
【発明の概要】
【発明が解決しようとする課題】
【０００６】
しかしながら、上述した移動体ネットワークシステムにおいては、ＲＡＮを共有する複数のＰＬＭＮリストから所望のＰＬＭＮが選択されることから、ＲＡＮを共有しない他のＰＬＭＮが存在し、この他のＰＬＭＮを介して通信サービスの提供をユーザが望む場合においても、ユーザは選択することができないという問題がある。
【０００７】
一方、手動ネットワーク選択モードにおいて、ＵＥにより利用可能なＰＬＭＮの検索（セルサーチ）を行う場合には、ＵＥがサポートする全ての周波数帯が検索対象とされることから、ＲＡＮを共有するＰＬＭＮとは別に、ＲＡＮを共有しない他のＰＬＭＮも検索することができるので、ユーザがこの他のＰＬＭＮを選択し、当該ＰＬＭＮからのサービス提供を受けることが可能である。
【０００８】
しかしながら、この場合には、ＵＥがサポートする全ての周波数帯に対してセルサーチを行うことから、ディスプレイ上にＰＬＭＮリストが表示されるまでの時間が長時間に及ぶ場合がある。また、ＵＥがサポートする全ての周波数帯に対してセルサーチを行うためにＵＥの電池を早期に消耗させる事態が発生し得る。
【０００９】
本発明は、このような実情に鑑みてなされたものであり、手動ネットワーク選択モードによりＰＬＭＮを選択する場合においても、セルサーチに要する時間及び電力の浪費を軽減しつつ、ＲＡＮを共有しないＰＬＭＮも選択することができる移動局装置及びＰＬＭＮ選択方法を提供することを目的とする。
【課題を解決するための手段】
【００１０】
本発明の移動局装置は、無線アクセスネットワークを共有する複数の公衆陸上移動ネットワーク（ＰＬＭＮ）に関する情報を含む報知情報を受信する受信手段と、前記報知情報に含まれる複数のＰＬＭＮ以外の他のＰＬＭＮに関する情報を検索する検索手段と、前記報知情報に含まれる複数のＰＬＭＮに関する情報及び前記他のＰＬＭＮに関する情報から所望のＰＬＭＮの選択を受け付けるユーザインタフェース手段と、を具備し、前記検索手段は、前記他のＰＬＭＮに関する情報の検索終了前に前記ユーザインタフェース手段から所望のＰＬＭＮの選択を受け付けると前記他のＰＬＭＮに関する情報の検索を省略又は中断することを特徴とする。
【００１１】
この構成によれば、検索手段による他のＰＬＭＮに関する情報の検索終了前にユーザインタフェース手段から所望のＰＬＭＮの選択を受け付けると、他のＰＬＭＮに関する情報の検索が省略又は中断されることから、ＰＬＭＮの選択に伴って不要となった他のＰＬＭＮに関する情報の検索（セルサーチ）を回避することができるので、手動ネットワーク選択モードによりＰＬＭＮを選択する場合においても、セルサーチに要する時間及び電力の浪費を軽減することが可能となる。また、報知情報に含まれる複数のＰＬＭＮに関する情報以外の他のＰＬＭＮに関する情報が検索されることから、無線アクセスネットワークを共有するＰＬＭＮだけでなく、無線アクセスネットワークを共有していないＰＬＭＮも選択対象に含めることができるので、ユーザインタフェース手段を介して、無線アクセスネットワークを共有していないＰＬＭＮの選択を受け付けることが可能となる。
【００１２】
本発明のＰＬＭＮ選択方法は、無線アクセスネットワークを共有する複数の公衆陸上移動ネットワーク（ＰＬＭＮ）に関する情報を含む報知情報を受信するステップと、前記報知情報に含まれる複数のＰＬＭＮ以外の他のＰＬＭＮに関する情報を検索するステップと、前記報知情報に含まれる複数のＰＬＭＮに関する情報及び前記他のＰＬＭＮに関する情報から所望のＰＬＭＮの選択を受け付けるステップとを具備し、前記他のＰＬＭＮに関する情報の検索終了前に所望のＰＬＭＮの選択を受け付けると前記他のＰＬＭＮに関する情報の検索を省略又は中断することを特徴とする。
【００１３】
この方法によれば、他のＰＬＭＮに関する情報の検索終了前に所望のＰＬＭＮの選択を受け付けると、他のＰＬＭＮに関する情報の検索が省略又は中断されることから、ＰＬＭＮの選択に伴って不要となった他のＰＬＭＮに関する情報の検索（セルサーチ）を回避することができるので、手動ネットワーク選択モードによりＰＬＭＮを選択する場合においても、セルサーチに要する時間及び電力の浪費を軽減することが可能となる。また、報知情報に含まれる複数のＰＬＭＮに関する情報以外の他のＰＬＭＮに関する情報が検索されることから、無線アクセスネットワークを共有するＰＬＭＮだけでなく、無線アクセスネットワークを共有していないＰＬＭＮも選択対象に含めることができるので、無線アクセスネットワークを共有していないＰＬＭＮの選択を受け付けることが可能となる。
【発明の効果】
【００１４】
本発明によれば、手動ネットワーク選択モードによりＰＬＭＮを選択する場合においても、セルサーチに要する時間及び電力の浪費を軽減しつつ、ＲＡＮを共有しないＰＬＭＮも選択することが可能となる。
【図面の簡単な説明】
【００１５】
【図１】本発明の一実施の形態に係る移動局装置が適用されるネットワーク構成図である。
【図２】上記実施の形態に係る移動局装置の機能ブロック図である。
【図３】上記実施の形態に係る移動局装置でＰＬＭＮを選択する際の処理を説明するためのシーケンス図である。
【図４】上記実施の形態に係る移動局装置のＵＩ部に表示されるＮＷ選択モード画面の一例を示す図である。
【図５】上記実施の形態に係る移動局装置のＵＩ部に表示されるＰＬＭＮ選択画面の一例を示す図である。
【図６】上記実施の形態に係る移動局装置のＵＩ部に表示される、ＰＬＭＮボタンが追加されたＰＬＭＮ選択画面の一例を示す図である。
【図７】上記実施の形態に係る移動局装置でＰＬＭＮを選択する際の処理を説明するためのシーケンス図である。
【発明を実施するための形態】
【００１６】
図１は、本発明の一実施の形態に係る移動局装置（ＵＥ：User  Equipment）が適用されるネットワーク構成図である。図１において、ＲＡＮ（Radio  Access  Network）１は、ネットワークオペレータ（以下、単に「オペレータ」という）Ａにより所有され、管理されている。ＲＡＮ１は、複数のオペレータ（ここでは、オペレータＢ、Ｃ）により共有されている。すなわち、オペレータＡ〜Ｃによりネットワークシェアリング（以下、「ＮＷシェアリング」という）が行われており、それぞれのオペレータＡ〜Ｃは、ＲＡＮ１を介して個別に通信サービスを提供することができる。一方、ＲＡＮ２は、オペレータＤにより所有され、管理されている。ＲＡＮ２は、ＮＷシェアリングされておらず、オペレータＤのみが通信サービスを提供することができる。なお、それぞれのオペレータＡ〜Ｄは、公衆陸上移動ネットワーク（ＰＬＭＮ：Public  Land  Mobile  Network）により管理される地理的なエリアに位置する加入者に通信サービスを提供する。この結果、オペレータＡは、ＰＬＭＮ  Ａに対応し、オペレータＢは、ＰＬＭＮ  Ｂに対応し、オペレータＣは、ＰＬＭＮ  Ｃに対応し、オペレータＤは、ＰＬＭＮ  Ｄに対応する。
【００１７】
ＲＡＮ１は、ＵＥとの無線インタフェースを形成し、ＵＥとの間で情報を無線伝送するための無線送受信機能を提供する無線基地局装置（ＢＴＳ：Base  Transceiver  Station）と、複数のＢＴＳを収容する無線ネットワーク制御装置（ＲＮＣ：Radio  Network  Control  Equipment）とを含んで構成されている。ＲＮＣには、オペレータＡ〜Ｃが管理するコアネットワーク（ＣＮ：Core  Network）が接続されている。オペレータＡ〜ＣのＣＮは、電話や通話路のデータ通信路の設定、開放、交換や移動管理の機能を提供する回線交換機（ＭＳＣ：Mobile  Services  Switching  Center）と、ＧＰＲＳ（General  Packet  Radio  Service）ユーザの位置管理、セキュリティ管理やアクセス制御を行うパケット交換機（ＳＧＳＮ：Serving  GRPS  Support  Node）と、移動通信事業者（オペレータ）に加入する全ての加入者に関する位置情報、サービス加入情報、認証情報等を保持するＨＬＲ（Home  Location  Register）とを含んで構成されている。サービス加入情報には、端末識別番号や電話番号などのユーザデータが含まれる。ＲＡＮ２が有するＲＮＣには、オペレータＤが管理するＣＮが接続される。オペレータＤのＣＮは、オペレータＡ〜ＣのＣＮと同様に、ＭＳＣ、ＳＧＳＮ及びＨＬＲを含んで構成されている。
【００１８】
図１に示すネットワークにおいては、ＲＡＮ１が有するＢＴＳがカバーするセルＣ１と、ＲＡＮ２が有するＢＴＳがカバーするセルＣ２とが一部又は全部重複している（図１においては一部が重複する場合について示している）。ＵＥは、セルＣ１及びセルＣ２の双方に在圏している（すなわち、セルＣ１とセルＣ２とが重複箇所に位置している）ものとする。ＵＥは、自動ネットワーク選択モード又は手動ネットワーク選択モードにより、オペレータＡ〜Ｃ（ＰＬＭＮ  Ａ〜Ｃ）及びオペレータＤ（ＰＬＭＮ  Ｄ）のいずれかを選択して所望のオペレータが提供する通信サービスの提供を受けることができるように構成されている。
【００１９】
自動ネットワーク選択モードにおいては、オペレータやユーザにより予め定められた優先度に従ってＰＬＭＮが選択される。一方、手動ネットワーク選択モードにおいては、詳細について後述するように、ネットワーク（オペレータ）側からの報知情報に基づいて、ＵＥで利用可能なＰＬＭＮのリスト（ＰＬＭＮリスト）を表示させ、ユーザによるＰＬＭＮの選択を受け付け可能とする。そして、利用可能なＰＬＭＮの検索を完了する前（すなわち、セルサーチ完了前）にユーザからＰＬＭＮの選択を受け付けた場合には、セルサーチを行わないか、セルサーチを中断して当該ＰＬＭＮに位置登録を要求する。
【００２０】
なお、ネットワーク（オペレータ）側からの報知情報には、例えば、ＰＬＭＮを識別する識別情報を含むリストを含むことができる。このリストは、ＰＬＭＮに関する情報を構成する。手動ネットワーク選択モードにおいて、このリストからＰＬＭＮを選択することが可能である。
【００２１】
ＲＡＮ１を共有するＰＬＭＮに関する情報を含む報知情報には、ＰＬＭＮ  Ａ〜Ｃに関する情報が含まれるが、ＰＬＭＮ  Ｄに関する情報は含まれない。ＰＬＭＮ  Ｄに関する情報を含む報知情報は、ＲＡＮ２を含むネットワーク（オペレータＤ）側から送信される。報知情報は、ＢＴＳから該当するセルに在圏する全てのＵＥに送信（ブロードキャスト）される。ＵＥでは、原則として、前回、在圏したセルを含むＰＬＭＮの周波数帯のサーチを行い、報知情報の受信の有無を判定する。
【００２２】
例えば、前回、セルＣ１に在圏し、ＰＬＭＮ  Ａからの通信サービスの提供を受けている場合には、ＰＬＭＮ  Ａに割り当てられた周波数帯のサーチを行い、ＲＡＮ１を共有するＰＬＭＮに関する情報を含む報知情報の受信の有無を判定する。ＲＡＮ１を共有するＰＬＭＮに関する情報を含む報知情報を受信した場合には、ＰＬＭＮ  Ｄに割り当てられた周波数帯のサーチが行われることはない。このため、ＲＡＮ１を共有するＰＬＭＮに関する情報を含む報知情報を受信するタイミングで、ＰＬＭＮ  Ｄに関する情報を含む報知情報が受信されることはない。しかしながら、ＵＥのユーザにおいては、前回、通信サービスの提供を受けたＰＬＭＮ  Ａとは異なり、ＰＬＭＮ  Ｄからの通信サービスの提供を望む場合が考えられる。
【００２３】
このような要請に対応するには、ネットワーク側から送出される報知情報に含まれるＰＬＭＮに関する情報を有効に活用する一方、ＵＥがサポートする全ての周波数帯のセルサーチを必要な最小限の負荷で行うことが好ましい。このような観点から、本発明者は、本発明をするに至った。すなわち、本発明の骨子は、ネットワーク側からの報知情報に含まれるＰＬＭＮに関する情報をＵＥのユーザに提示し、所望のＰＬＭＮが存在しない場合にはＵＥが利用可能な全てのＰＬＭＮのセルサーチを行う一方、所望のＰＬＭＮが存在する場合にはその選択を受け付け、セルサーチを省略又は中断することである。
【００２４】
以下、本発明の一実施の形態に係るＵＥの構成について説明する。図２は、上記実施の形態に係るＵＥの機能ブロック図である。図２に示すＵＥ１００においては、本願発明に関する構成要素を説明するために簡素化しているが、音声通信及びパケット通信を行う一般的な携帯電話装置などの通信端末が備える構成要素については備えているものとする。例えば、ＵＥ１００は、装置全体の制御を行うＣＰＵ、ＣＰＵが読み込んで実行するプログラムを格納するＲＯＭ、並びに、ＣＰＵがプログラムを実行する際のワークエリアを提供するＲＡＭを含んで構成される。なお、ＵＥ１００は、携帯電話装置に限定されるものではなく、移動通信機能を有する、或いは、移動通信機能を提供する通信デバイスが実装されたパーソナルコンピュータやＰＤＡなどの端末装置も含まれる。
【００２５】
図２に示すように、本実施の形態に係るＵＥ１００は、ＲＡＮ１又はＲＡＮ２を含むネットワークとの通信信号に関する制御を行う通信制御部１０１と、ユーザインタフェース（ＵＩ:User  Interface）の制御などを行うアプリケーション処理部（以下、「ＡＰＬ処理部」という）１０２と含んで構成されている。また、ＵＥ１００は、ＵＳＩＭ（Universal  Subscriber  Identify  Module）などのＩＣカードの挿抜可能なカードスロットを備えている。図２に示すＵＥにおいては、このカードスロットにＵＳＩＭ１０３が挿入される場合について示しているが、これに限定されるものではない。ＵＳＩＭ１０３は、記憶手段を構成するものであり、加入者（ＵＥ１００のユーザ）を識別・認証するための情報が記録されると共に、特定のＰＬＭＮを選択するため、或いは、ＵＩにおける表示順序を決定するための優先度情報が記録されている。なお、これらの情報をＵＥ１００自体に搭載される記憶手段に記憶しておくようにしても良い。
【００２６】
通信制御部１０１は、ＵＥ１００が利用可能なＰＬＭＮの検索（すなわち、セルサーチ）を行うネットワーク検索部（以下、「ＮＷ検索部」という）１０４と、ＲＡＮ１又はＲＡＮ２を含むネットワーク（以下、総称して「ＮＷ」という）との信号の送受信を行う通信部１０５と、これらのＮＷ検索部１０４及び通信部１０５の制御を行うと共に、ＡＰＬ処理部１０２との間で各種のメッセージの送受信を行う制御部１０６とを備える。ＮＷ検索部１０４は、検索手段を構成するものであり、通信部１０５は、受信手段を構成するものである。
【００２７】
ＮＷ検索部１０４は、制御部１０６の制御の下、ＵＥ１００がサポートする全ての周波数帯でセルサーチを行う。例えば、図１においては、ＲＡＮ１を含むネットワークで利用される周波数帯、並びに、ＲＡＮ２を含むネットワークで利用される周波数帯でセルサーチを行うことができる。通信部１０５は、ＮＷから送信される報知情報の受信、制御部１０６により選択されたＰＬＭＮに対する位置登録要求の送信、並びに、当該ＰＬＭＮからの位置登録完了通知の受信などを行う。
【００２８】
制御部１０６は、ＡＰＬ処理部１０２からのメッセージの内容に応じて、ＮＷ検索部１０４によるセルサーチの実行や通信部１０５による信号の送受信を制御する。また、ＡＰＬ処理部１０２からのメッセージの内容に応じて、自動ネットワーク選択モードと手動ネットワーク選択モードとを切り替えてＰＬＭＮの選択を行う。ＰＬＭＮの選択の際には、ＵＳＩＭ１０３に記録された優先度情報に応じた特定のＰＬＭＮの選択（自動ネットワーク選択モード）や、報知情報に含まれるＰＬＭＮに関する情報の並び替え（手動ネットワーク選択モード）を行う。
【００２９】
ＡＰＬ処理部１０２は、ＵＥ１００における各種の操作画面を表示すると共に、操作画面上からユーザの所望の指示を受け付けるＵＩ部１０７と、このＵＩ部１０７の表示制御を行うと共に、ＵＩ部１０７で受け付けた指示に応じたメッセージの送受信を通信制御部１０１との間で行うＵＩ制御部１０８とを備える。ＵＩ部１０７は、ユーザインタフェース手段を構成するものである。
【００３０】
ＵＩ部１０７は、例えば、ディスプレイ及びキーパッドなどにより構成されるが、これに限定されるものではなく、各種の操作画面を表示し、これらの操作画面から指示を受け付けることができれば、いかなる構成であっても良い。ディスプレイ及びキーパッドのように複数のデバイスで構成しても良いし、タッチパネルのように単一のデバイスで構成しても良い。ＵＩ部１０７が有するディスプレイには、例えば、自動ネットワーク選択モード及び手動ネットワーク選択モードのいずれかを選択させるための操作画面（以下、「ＮＷ選択モード画面」という）や、ＮＷからの報知情報に含まれるＰＬＭＮを選択させるための操作画面（以下、「ＰＬＭＮ選択画面」という）が表示される。
【００３１】
ＵＩ制御部１０８は、ＵＩ部１０７を介して受け付けたユーザからの指示、並びに、通信制御部１０１から受信したメッセージの内容に基づいて、ＵＩ部１０７に表示される各種の操作画面を生成する。操作画面を生成する際には、予め保持しておいた各種の操作画面のフレームに対し、通信制御部１０１から受信したメッセージの内容を反映させることが可能である。また、生成した操作画面におけるユーザからの選択項目に応じたメッセージを通信制御部１０１に送信する。例えば、ＮＷ選択モード画面から手動ネットワーク選択モードが選択された場合にＰＬＭＮの検索要求を示すメッセージを通信制御部１０１に送信する。
【００３２】
次に、このような構成を有するＵＥ１００でＰＬＭＮを選択する際の処理について説明する。図３は、実施の形態に係るＵＥ１００でＰＬＭＮを選択する際の処理を説明するためのシーケンス図である。図３に示すシーケンスにおいては、ＵＥ１００にて手動ネットワーク選択モードが選択される場合について示している。ＵＥ１００にて自動ネットワーク選択モードが選択される場合には、オペレータやユーザにより予め定められ、ＵＳＩＭ１０３に記録された優先度情報に従ってＰＬＭＮが選択され、その選択されたＰＬＭＮに対して位置登録要求が行われる。そして、ＰＬＭＮにおいて、位置登録が許容された場合には、当該ＰＬＭＮを運用するオペレータから通信サービスが提供される。なお、本発明に係るＵＥ１００においては、特に手動ネットワーク選択モードにおける処理に特徴を有するため、自動ネットワーク選択モードにおける処理の詳細については省略する。
【００３３】
なお、図３に示す「ＮＷ」は、ＲＡＮ１を含むネットワークと、ＲＡＮ２を含むネットワークとで構成されているものとする。また、図３に示すシーケンスに従って処理を行う前回の通信処理において、ＵＥ１００は、セルＣ１に在圏し、ＰＬＭＮ  Ａからの通信サービスの提供を受けているものとする。このため、ＵＥ１００においては、ＰＬＭＮ  Ａに割り当てられた周波数帯のサーチが行われ、ＲＡＮ１を共有するＰＬＭＮに関する情報を含む報知情報が受信されるものとなっている。
【００３４】
図３に示すように、ＵＥ１００がセルＣ１に在圏すると、ＲＡＮ１を含むネットワークから、報知情報が送信される（ステップ（以下、「ＳＴ」という）３０１）。この報知情報には、ＲＡＮ１を共有するＰＬＭＮ（ＰＬＭＮ  Ａ、ＰＬＭＮ  Ｂ及びＰＬＭＮ  Ｃ）に関する情報が含まれる。具体的には、ＲＡＮ１を共有するＰＬＭＮ  Ａ、ＰＬＭＮ  Ｂ及びＰＬＭＮ  Ｃを識別する識別番号が指定されたリスト（ＰＬＭＮリスト）が含まれている。このＰＬＭＮリストの代わりに、ＲＡＮ１を共有するＰＬＭＮ  Ａ、ＰＬＭＮ  Ｂ及びＰＬＭＮ  Ｃを運用するオペレータの識別情報が指定されたリスト（オペレータリスト）を含めることも可能である。
【００３５】
ＮＷから送信された報知情報は、通信制御部１０１の通信部１０５により受信される。通信部１０５で報知情報を受信したことを検出すると、制御部１０６により、ＵＳＩＭ１０３に記録された優先度情報に従って、報知情報に含まれるＰＬＭＮリストにおけるＰＬＭＮの表示順序が並べ替えられ、利用可能なＰＬＭＮとしてＡＰＬ処理部１０２に通知される（ＳＴ３０２）。ここでは、ＰＬＭＮ  Ａ、ＰＬＭＮ  Ｃ及びＰＬＭＮ  Ｂの順にＰＬＭＮの優先度が高い内容を示す優先度情報が記録されているものとする。このため、利用可能なＰＬＭＮには、この優先度情報が反映される。
【００３６】
通信制御部１０１から通知された利用可能なＰＬＭＮは、ＡＰＬ処理部１０２に保持される。そして、ＵＩ部１０７を介してＮＷ選択モード画面の表示指示を受け付けると、ＵＩ部１０７のディスプレイにＮＷ選択モード画面が表示される。図４は、本実施の形態に係るＵＥ１００のＵＩ部１０７に表示されるＮＷ選択モード画面４００の一例を示す図である。図４に示すように、ＮＷ選択モード画面４００においては、自動ネットワーク選択モードを選択するボタン（Ａｕｔｏボタン）４０１と、手動ネットワーク選択モードを選択するボタン（Ｍａｎｕａｌボタン）４０２とが表示され、ＵＩ部１０７による入力操作によりいずれかのボタン４０１、４０２が選択可能となっている。なお、図４においては、Ｍａｎｕａｌボタン４０２が選択された状態について示している。
【００３７】
ＮＷ選択モード画面４００からＭａｎｕａｌボタン４０２が選択されると、ＵＩ部１０７からその旨がＵＩ制御部１０８に通知され、ＵＩ制御部１０８からＰＬＭＮの検索要求（ＰＬＭＮ検索要求）が通信制御部１０１に送信される（ＳＴ３０３）。一方、ＰＬＭＮ検索要求の送信と並行して、ＵＩ制御部１０８によりＵＩ部１０７のディスプレイにＰＬＭＮ選択画面が表示される。図５は、本実施の形態に係るＵＥ１００のＵＩ部１０７に表示されるＰＬＭＮ選択画面５００の一例を示す図である。図５に示すように、ＰＬＭＮ選択画面５００においては、ＡＰＬ処理部１０２で保持された利用可能なＰＬＭＮリストが反映される。ここでは、ＰＬＭＮ  Ａを選択するボタン（ＰＬＭＮ  Ａボタン）５０１と、ＰＬＭＮ  Ｃを選択するボタン（ＰＬＭＮ  Ｃボタン）５０２と、ＰＬＭＮ  Ｂを選択するボタン（ＰＬＭＮ  Ｂボタン）５０３とが表示され、ＵＩ部１０７による入力操作によりいずれかのボタン５０１〜５０３が選択可能となっている。なお、図５においては、ＰＬＭＮ  Ａボタン５０１が選択可能な状態（ＰＬＭＮ  Ａ上にカーソルがあり、選択ボタンは押されていない状態）について示している。ＵＥ１００においては、このＰＬＭＮ選択画面５００からＰＬＭＮの選択を受け付け可能であるが、ここでは、ユーザからＰＬＭＮの選択を受け付けないものとする。
【００３８】
ＡＰＬ処理部１０２からＰＬＭＮ検索要求を受信すると、通信制御部１０１の制御部１０６によりＵＥ１００におけるネットワーク選択モードとして、手動ネットワーク選択モードが選択される（ＳＴ３０４）。手動ネットワーク選択モードが選択されると、制御部１０６からＮＷ検索部１０４に対してセルサーチの実行が指示される。この指示に応じてＮＷ検索部１０４において、ＵＥ１００がサポートする全ての周波数帯でセルサーチが実行される（ＳＴ３０５）。これにより、ＳＴ３０１で受信した報知情報に含まれるＰＬＭＮ（ＰＬＭＮ  Ａ、ＰＬＭＮ  Ｂ及びＰＬＭＮ  Ｃ）に関する情報以外のＰＬＭＮに関する情報を含む報知情報が受信される（ＳＴ３０６）。図１に示すネットワークにおいては、ＰＬＭＮ  Ｄに関する情報を含む報知情報が受信される。
【００３９】
ＵＥ１００がサポートする全ての周波数帯でセルサーチが完了すると、その旨がＮＷ検索部１０４から制御部１０６に通知される。この通知を受けると、制御部１０６からＡＰＬ処理部１０２に対して、ＰＬＭＮ検索の完了通知（ＰＬＭＮ検索完了通知）が送信される（ＳＴ３０７）。このＰＬＭＮ検索完了通知には、上記セルサーチにより受信した報知情報に含まれるＰＬＭＮ  Ｄに関する情報が含まれる。
【００４０】
通信制御部１０１からＰＬＭＮ検索完了通知を受信すると、ＵＩ制御部１０８により、ＳＴ３０１で受信した報知情報に含まれるＰＬＭＮ（ＰＬＭＮ  Ａ、ＰＬＭＮ  Ｂ及びＰＬＭＮ  Ｃ）に関する情報以外のＰＬＭＮに関する情報が含まれるかが判定される。該当するＰＬＭＮに関する情報が含まれる場合には、ＰＬＭＮ選択画面５００のＰＬＭＮリストにそのＰＬＭＮに関する情報が追加される。ここでは、ＰＬＭＮ  Ｄに関する情報が含まれることから、ＰＬＭＮ選択画面５００のＰＬＭＮリストにＰＬＭＮ  Ｄを選択するボタン（ＰＬＭＮ  Ｄボタン）５０４が追加される。図６は、本実施の形態に係るＵＥ１００のＵＩ部１０７に表示される、ＰＬＭＮ  Ｄボタン５０４が追加されたＰＬＭＮ選択画面５００の一例を示す図である。図６に示すＰＬＭＮ選択画面５００においては、ＳＴ３０１で受信した報知情報に含まれるＰＬＭＮ（ＰＬＭＮ  Ａ、ＰＬＭＮ  Ｂ及びＰＬＭＮ  Ｃ）に関する情報に加えて、ＳＴ３０５におけるセルサーチで検索されたＰＬＭＮ  Ｄに関する情報が追加されている。
【００４１】
そして、このようなＰＬＭＮ選択画面５００から、ＵＥ１００のユーザによりＰＬＭＮ  Ａボタン５０１が選択されたものとする。ＵＩ部１０７でＰＬＭＮ  Ａボタン５０１の選択を受け付けると、その旨がＵＩ制御部１０８に通知され、ＵＩ制御部１０８から通信制御部１０１にＰＬＭＮの選択要求（ＰＬＭＮ選択要求）が送信される（ＳＴ３０８）。このＰＬＭＮ選択要求には、選択されたＰＬＭＮ  Ａに関する情報が含まれる。
【００４２】
このＰＬＭＮ選択要求を受信すると、制御部１０６から通信部１０５に対して、ＰＬＭＮ  Ａに対する位置登録要求が指示される。この指示に応じて通信部１０５からＰＬＭＮ  Ａに対して位置登録要求が送信される（ＳＴ３０９）。この位置登録要求は、ＲＡＮ１を含むネットワークを介して、ＰＬＭＮ  ＡのＣＮに送信される。そして、ＰＬＭＮ  ＡのＣＮにおいて、位置登録要求の許否が判定される。位置登録要求が許容される場合には、ＲＡＮ１を含むネットワークを介して、ＵＥ１００に位置登録完了通知が送信される（ＳＴ３１０）。
【００４３】
通信部１０５で位置登録完了通知を受信したことを検出すると、制御部１０６からＡＰＬ処理部１０２に対して、ＰＬＭＮの選択完了の通知（ＰＬＭＮ選択完了通知）が送信される（ＳＴ３１１）。ＰＬＭＮ選択完了通知を受信すると、ＵＩ制御部１０８によりその旨がＵＩ部１０７に表示される。例えば、ＰＬＭＮ選択画面５００上にその旨を示すメッセージが表示される。これにより、ＵＥ１００のユーザは、適切にＰＬＭＮ  Ａが選択されたことを認識することができる。そして、これ以降、ＵＥ１００においては、ＰＬＭＮ  Ａを運用するオペレータＡから通信サービスの提供を受けることが可能となる。
【００４４】
このように本実施の形態に係るＵＥ１００においては、ＮＷからＲＡＮを共有するＰＬＭＮに関する情報を含む報知情報を受信した後、手動ネットワーク選択モードが選択されると、ＰＬＭＮリストを含むＰＬＭＮ選択画面５００をＵＩ部１０７に表示させる一方、ＵＥ１００がサポートする全ての周波数帯でセルサーチを実行する。そして、セルサーチによりＰＬＭＮリストに含まれないＰＬＭＮが検索された場合には、そのＰＬＭＮに関する情報をＰＬＭＮリストに追加表示させている。これにより、ＲＡＮを共有するＰＬＭＮ（ＮＷシェアリングされたＰＬＭＮ）だけでなく、ＲＡＮを共有していないＰＬＭＮ（ＮＷシェアリングされていないＰＬＭＮ）もＰＬＭＮ選択画面５００に表示させることができるので、ＵＩ部１０７を介して、ＲＡＮを共有していないＰＬＭＮの選択を受け付けることができるものとなっている。
【００４５】
特に、本実施の形態に係るＵＥ１００においては、手動ネットワーク選択モードが選択されると、セルサーチの実行前から利用可能なＰＬＭＮが表示されたＰＬＭＮリストが表示させ、当該ＰＬＭＮの選択を受け付け可能としている。従来、セルサーチの実行中には、「しばらくお待ちください。」などのメッセージが表示され、ユーザは、セルサーチの完了まで待機を余儀なくされていた。本実施の形態に係るＵＥ１００によれば、セルサーチの完了を待たずにＰＬＭＮの選択を受け付け可能としたことから、ユーザの待機時間を省略でき、ＵＥ１００における利便性が改善されている。
【００４６】
また、本実施の形態に係るＵＥ１００においては、ＵＳＩＭ１０３に記録された優先度情報に従って、報知情報に含まれるＰＬＭＮリストにおけるＰＬＭＮの表示順序を並べ替えるようにしたことから、ＵＥ１００にとってより優先度が高いＰＬＭＮを、ユーザにとって確認し易い位置に表示させることが可能となる。
【００４７】
なお、図３に示すシーケンスにおいては、ＮＷ選択モード画面４００から手動ネットワーク選択モードが選択された場合にＵＩ部１０７のディスプレイにＰＬＭＮ選択画面５００を表示する場合について説明している。しかし、ＰＬＭＮ選択画面５００の表示タイミングについては、これに限定されるものではなく適宜変更が可能である。例えば、ＳＴ３０１で報知情報を受信した後、手動ネットワーク選択モードの選択などの処理を待たずに即時に待機中の画面（待ち受け画面）上にＰＬＭＮ選択画面５００を表示することも可能である。この場合には、ＵＥ１００のユーザは、現在利用可能なＰＬＭＮを常に把握することができ、待ち受け画面から即時に所望のＰＬＭＮを選択することが可能となる。なお、待ち受け画面にＰＬＭＮ選択画面５００を表示する場合、ディスプレイの一部にＰＬＭＮ選択画面５００又はこれに相当する情報を含む画面を配置することは実施の形態として好ましい。
【００４８】
図３に示すシーケンスにおいては、ＳＴ３０１で受信した報知情報に含まれるＰＬＭＮリストからＰＬＭＮが選択されることなく、ＳＴ３０５におけるセルサーチで検索されたＰＬＭＮ  Ｄに関する情報が追加されたＰＬＭＮ選択画面５００からＰＬＭＮ  Ａが選択される場合について説明している。本実施の形態に係るＵＥ１００においては、ＳＴ３０１で受信した報知情報に含まれるＰＬＭＮリストからＰＬＭＮを選択することにより、ＳＴ３０５のセルサーチを省略、或いは、中断することができる。以下、このようにセルサーチの開始前又は開始後にＵＥ１００において、ＳＴ３０１で受信した報知情報に含まれるＰＬＭＮリストからＰＬＭＮを選択する際の処理について説明する。図７は、本実施の形態に係るＵＥ１００でＰＬＭＮを選択する際の処理を説明するためのシーケンス図である。なお、図７において、図３と共通する処理については、同一の符号を付与し、その説明を省略する。
【００４９】
図７に示すシーケンスにおいては、ＳＴ３０５でセルサーチを開始した後、その完了前にＳＴ３０１で受信した報知情報に含まれるＰＬＭＮリストからＰＬＭＮが選択される点で図３に示すシーケンスと異なる。ここでは、ＳＴ３０５でセルサーチを開始した後、その完了前にＳＴ３０１で受信した報知情報に含まれるＰＬＭＮリストからＰＬＭＮ  Ａボタン５０１が選択されたものとする。ＵＩ部１０７でＰＬＭＮ  Ａボタン５０１の選択を受け付けると、その旨がＵＩ制御部１０８に通知される。ＵＩ制御部１０８においては、ＰＬＭＮ検索完了通知（図３に示すＳＴ３０７）を受信済みであるかを判定し、受信していないと判定する場合には、通信制御部１０１にＰＬＭＮの検索の中断要求（ＰＬＭＮ検索中断要求）が送信される（ＳＴ７０１）。
【００５０】
このＰＬＭＮ検索中断要求を受信すると、制御部１０６からＮＷ検索部１０４にセルサーチの中断が指示される。この指示に応じてＮＷ検索部１０４において、セルサーチの中断処理が行われる（ＳＴ７０２）。そして、セルサーチが中断されると、その旨が制御部１０６に通知される。この通知に応じて、制御部１０６からＡＰＬ処理部１０２に対してＰＬＭＮの中断完了の通知（ＰＬＭＮ中断完了通知）が送信される（ＳＴ７０３）。ＰＬＭＮ中断完了通知を受信すると、ＵＩ制御部１０８によりＵＩ部１０７にその旨が表示される。例えば、ＰＬＭＮ選択画面５００上にその旨を示すメッセージが表示される。
【００５１】
その後、図３に示すＳＴ３０８と同様に、ＵＩ制御部１０８から通信制御部１０１にＰＬＭＮの選択要求（ＰＬＭＮ選択要求）が送信される。これに応じて、ＵＥ１００とＰＬＭＮ  ＡのＣＮとの間で位置登録要求、位置登録完了通知の送受信が行われる（ＳＴ３０９、ＳＴ３１０）。そして、ＳＴ３１１において、通信制御部１０１からＡＰＬ処理部１０２にＰＬＭＮ選択完了通知が送信され、ＵＩ制御部１０８によりその旨がＵＩ部１０７に表示される。これ以降、ＵＥ１００においては、ＰＬＭＮ  Ａを運用するオペレータＡから通信サービスの提供を受けることが可能となる。
【００５２】
このように本実施の形態に係るＵＥ１００においては、ＮＷからＲＡＮを共有するＰＬＭＮに関する情報を含む報知情報を受信すると、ＰＬＭＮリストを含むＰＬＭＮ選択画面５００をＵＩ部１０７に表示させる一方、セルサーチの開始前又は開始後、その完了前にＰＬＭＮリストから所望のＰＬＭＮが選択されると、セルサーチを中断するようにしたことから、ＰＬＭＮの選択に伴って不要となったセルサーチの実行を回避することができるので、セルサーチに要する時間及び電力の浪費を軽減することができるものとなっている。
【００５３】
なお、図７に示すシーケンスにおいては、ＳＴ３０５でセルサーチを開始した後、その完了前にＳＴ３０１で受信した報知情報に含まれるＰＬＭＮリストからＰＬＭＮが選択され、セルサーチを中断する場合について説明しているが、セルサーチの開始前にＳＴ３０１で受信した報知情報に含まれるＰＬＭＮリストからＰＬＭＮが選択された場合には、セルサーチの実行を省略することができる。この場合には、セルサーチを完全に省略することができるので、セルサーチに要する時間及び電力の浪費を削減することが可能である。
【００５４】
また、図７に示すシーケンスにおいては、ＡＰＬ処理部１０２でＰＬＭＮ検索完了通知を受信済みであるか（すなわち、セルサーチが実行中であるか）を判定し、受信済みでない場合に通信制御部１０１にＰＬＭＮ検索中断要求を送信する。そして、ＰＬＭＮ中断完了通知を受信した場合にＰＬＭＮ選択要求を通信制御部１０１に送信する場合について説明しているが、ＰＬＭＮ選択要求の送信タイミングについては、これに限定されるものではなく適宜変更が可能である。例えば、ＵＩ部１０７でＰＬＭＮの選択を受け付けた時点で、ＡＰＬ処理部１０２でセルサーチが実行中であるかを判定することなくＰＬＭＮ選択要求を通信制御部１０１に送信し、通信制御部１０１でセルサーチの実行中であれば中断して、中断処理後に該当するＰＬＭＮのＣＮとの間で位置登録を行うようにしても良い。
【００５５】
以上説明したように、本実施の形態に係るＵＥ１００によれば、ＮＷからＲＡＮを共有するＰＬＭＮに関する情報を含む報知情報を受信すると、ＰＬＭＮリストを含むＰＬＭＮ選択画面５００をＵＩ部１０７に表示させる一方、ＵＥ１００がサポートする全ての周波数帯でセルサーチを実行する。そして、セルサーチによりＰＬＭＮリストに含まれないＰＬＭＮが検索された場合には、そのＰＬＭＮに関する情報をＰＬＭＮリストに追加表示させる一方、セルサーチの開始前又は開始後、その完了前にＰＬＭＮリストから所望のＰＬＭＮが選択された場合にセルサーチを省略又は中断する。これにより、セルサーチに要する時間及び電力の浪費を軽減しつつ、ＲＡＮを共有していないＰＬＭＮの選択を受け付けることが可能となる。
【００５６】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。
【００５７】
例えば、上記実施の形態においては、ＮＷ選択モード画面４００からＭａｎｕａｌボタン４０２が選択されると、ＰＬＭＮリストを含むＰＬＭＮ選択画面５００をＵＩ部１０７に表示させる一方、ＵＥ１００がサポートする全ての周波数帯でセルサーチを実行する場合について説明しているが、セルサーチの実行については、これに限定されるものではなく適宜変更が可能である。例えば、ＮＷ選択モード画面４００からＭａｎｕａｌボタン４０２の選択に伴って、ＰＬＭＮリストを含むＰＬＭＮ選択画面５００をＵＩ部１０７に表示させると共に、このＰＬＭＮ選択画面５００上に「これらのＰＬＭＮ以外のＰＬＭＮを検索する」などのセルサーチを指示するボタンを設けておき、このボタンの選択に応じてセルサーチを実行することも可能である。
【００５８】
また、上記実施の形態においては、ＮＷからＲＡＮを共有するＰＬＭＮに関する情報を含む報知情報を受信すると、ＰＬＭＮリストを含むＰＬＭＮ選択画面５００をＵＩ部１０７に表示させる一方、ＵＥ１００がサポートする全ての周波数帯でセルサーチを実行してＰＬＭＮリストに含まれない他のＰＬＭＮに関する情報をＰＬＭＮリストに追加表示させる場合について説明しているが、上記他のＰＬＭＮに関する情報を表示させる態様については、これに限定されるものではなく適宜変更が可能である。例えば、セルサーチによりＰＬＭＮリストに含まれない他のＰＬＭＮが検索された場合に、ＰＬＭＮ選択画面５００上に「これらのＰＬＭＮ以外のＰＬＭＮを表示する」などの他のＰＬＭＮの表示を指示するボタンを設けておき、当該ボタンの選択に応じて検索された他のＰＬＭＮのみをＰＬＭＮリストとは別に表示するようにしても良い。すなわち、報知情報に含まれるＰＬＭＮリストに追加するのではなく、選択可能な他のＰＬＭＮに関する情報のみを表示し、ユーザからの選択を受け付けることも可能である。
【符号の説明】
【００５９】
１００  移動局装置（ＵＥ）
１０１  通信制御部
１０２  アプリケーション処理部（ＡＰＬ処理部）
１０３  ＵＳＩＭ
１０４  ネットワーク検索部（ＮＷ検索部）
１０５  通信部
１０６  制御部
１０７  ユーザインタフェース（ＵＩ）部
１０８  ユーザインタフェース（ＵＩ）制御部
４００  ＮＷ選択モード画面
４０１  Ａｕｔｏボタン
４０２  Ｍａｎｕａｌボタン
５００  ＰＬＭＮ選択画面
５０１  ＰＬＭＮ  Ａボタン
５０２  ＰＬＭＮ  Ｃボタン
５０３  ＰＬＭＮ  Ｂボタン
５０４  ＰＬＭＮ  Ｄボタン
【図１】
2011130173.tif 000003
【図２】
2011130173.tif 000004
【図３】
2011130173.tif 000005
【図４】
2011130173.tif 000006
【図５】
2011130173.tif 000007
【図６】
2011130173.tif 000008
【図７】
2011130173.tif 000009